(57)【要約】      （修正有）【課題】ハンドオフ時、公開ロングコードマスク（ＰＣＬＭ）の管理を改善する。【解決手段】本実施形態によって、移動局（ＭＳ）１０１は、送信先基地局（ＢＳ）１３０と通信する際、サービス提供側（ＢＳ）１２０と通信する時に用いるＰＬＣＭとは異なるＰＣＬＭを用い得る。また、移動交換局（ＭＳＣ）１１５を介して、サービス提供側ＢＳと送信先ＢＳとの間で信号送信を行い、これよって、送信先ＢＳは、新しいＰＬＣＭを備え、ＭＳと送信先ＢＳとの間で通信し得る。各送信先ＢＳがハンドオフＭＳに対してＰＬＣＭを割り当て、また、伝達し得ることによって、今日のＰＬＣＭの共用、また、従ってクロストーク問題を回避し得る。【選択図】図１
2004320764.tif 000002
【特許請求の範囲】
【請求項１】
公開ロングコードマスク（ＰＬＣＭ）ハンドオフ管理のための方法であって、
ハードハンドオフを示す移動局（ＭＳ）用のハンドオフ要求メッセージを基地局（ＢＳ）が受信する段階と、
前記ハンドオフ要求メッセージに応答して、前記ＭＳが用いる新しいＰＬＣＭを前記ＢＳが割り当てる段階と、
前記ハンドオフ要求メッセージに応答して、前記新しいＰＬＣＭを識別するＰＬＣＭ識別子を含むハンドオフ要求確認応答を前記ＢＳが送信する段階と、
が含まれる方法。
【請求項２】
請求項１に記載の方法であって、
前記ハンドオフ要求メッセージを受信する段階には、ＰＬＣＭを認識するＰＬＣＭ識別子が含まれる前記ハンドオフ要求メッセージを受信する段階が含まれる方法。
【請求項３】
請求項２に記載の方法であって、
前記ＰＬＣＭは、送信元ＢＳが用いるＰＬＣＭの部分集合の要素であって、また、前記新しいＰＬＣＭは、前記ＢＳが用いるＰＬＣＭの部分集合の要素である方法。
【請求項４】
請求項１に記載の方法であって、更に、
前記新しいＰＬＣＭを用いてコード化される前記ＭＳからの通話内容をＢＳが受信する段階が含まれる方法。
【請求項５】
請求項１に記載の方法であって、更に、
前記新しいＰＬＣＭを用いてコード化されるＭＳへの通話内容を前記ＢＳが送信する段階が含まれる方法。
【請求項６】
請求項１に記載の方法であって、更に、
第２ＭＳ用の移動交換局（ＭＳＣ）にハンドオフ被要求メッセージを前記ＢＳが送信する段階と、
前記ハンドオフ被要求メッセージに応答して、送信先ＰＬＣＭを識別するＰＬＣＭ識別子を含むハンドオフ命令メッセージを前記ＢＳが前記ＭＳＣから受信する段階と、
前記ハンドオフ命令メッセージに応答して、前記送信先ＰＬＣＭを識別するＰＬＣＭ識別子を含む前記第２ＭＳに前記ＢＳがハンドオフメッセージを送信する段階と、
が含まれる方法。
【請求項７】
公開ロングコードマスク（ＰＬＣＭ）ハンドオフ管理のための方法であって、
ＰＬＣＭを用いて、移動局（ＭＳ）がサービス提供側基地局（ＢＳ）と通信する段階と、
新しいＰＬＣＭを識別するＰＬＣＭ識別子を含むハンドオフメッセージを前記ＭＳが受信する段階と、
前記新しいＰＬＣＭを用いて送信先ＢＳと前記ＭＳが通信する段階であって、前記ＰＬＣＭと前記新しいＰＬＣＭは異なる前期段階と、
が含まれる方法。
【請求項８】
請求項７に記載の方法であって、
前記ＰＬＣＭは、前記サービス提供側ＢＳが用いるＰＬＣＭの部分集合の要素であって、また、前記新しいＰＬＣＭは、前記送信先ＢＳが用いるＰＬＣＭの部分集合の要素である方法。
【請求項９】
基地局（ＢＳ）において、
基地サイト制御装置（ＢＳＣ）であって、
ハードハンドオフを示す移動局（ＭＳ）用のハンドオフ要求メッセージを受信するように構成されており、
前記ハンドオフ要求メッセージに応答して、前記ＭＳが用いる新しい公開ロングコードマスク（ＰＬＣＭ）を割り当てるように構成されており、
前記ハンドオフ要求メッセージに応答して、前記新しいＰＬＣＭを識別するＰＬＣＭ識別子を含むハンドオフ要求確認応答を送信するように構成されている前記基地サイト制御装置と、
前記ＢＳＣに通信接続された基地送受信装置（ＢＴＳ）であって、前記新しいＰＬＣＭを用いて前記ＭＳと通信するように構成されている前記基地送受信装置（ＢＴＳ）と、
が含まれる基地局。
【請求項１０】
移動局（ＭＳ）であって、
送信機と、
受信機と、
前記送信機及び受信機に通信接続されたプロセッサであって、
前記送信機及び受信機を介して、公開ロングコードマスク（ＰＬＣＭ）を用いてサービス提供側基地局（ＢＳ）と通信するように構成されており、
前記受信機を介して、新しいＰＬＣＭを識別するＰＬＣＭ識別子を含むハンドオフメッセージを受信するように構成されており、
前記送信機及び受信機を介して、前記新しいＰＬＣＭを用いて、送信先ＢＳと通信するように構成されており、前記ＰＬＣＭと前記新しいＰＬＣＭは異なる前記プロセッサと、
が含まれる移動局。
【発明の詳細な説明】
【技術分野】
【０００１】
関連出願参考文献
本出願は、２００３年４月１１日に出願した共同所有の仮出願第６０／４６２，２２８号、表題“公開ロングコードマスクのハンドオフ管理方法及び装置”からの優先権を主張するものであり、本明細書中に全文を引用参照する。
【０００２】
本発明は、一般的に、無線通信に関し、特に、公開ロングコードマスクのハンドオフ管理に関する。
【背景技術】
【０００３】
今日、ＣＤＭＡ通信システムは、同じ公開ロングコードマスク（ＰＬＣＭ）が割り当てられる移動局（ＭＳ）間で干渉やクロストークの影響を受けやすい。ＰＬＣＭは、固有のアドレス指定メカニズムを移動体に提供することを意図しているため、このようなＰＬＣＭの共用は、意図したものではないが、何れにせよ今日のシステムには存在している。ＰＬＣＭの共用は、ハードハンドオフの結果として生じ得る。例えば、異なる基地局（ＢＳ）がサービスを提供する２つのＭＳには、各ＢＳの独立した動作によって同じＰＬＣＭを割り当て得る。そして、一方のＭＳが、他方のＭＳに占有されている同じセル／セクタにハンドオフすると、干渉が生じ得る。両ＭＳは、互いに隣接して同じＰＬＣＭを用いているため、ユーザは、互いの会話を耳にするが、自分達の個人的な会話がもはやプライベートなものではないことに気付かない。
【０００４】
このクロストークの問題は、ＣＤＭＡシステムに長期間に渡って存在し、３ＧＰＰ２標準規格機関の当事者が注目してきたが、この問題は、最新のＰＬＣＭに関する変更点いわゆる“ＰＬＣＭ＿３２”機能においてさえ解消されていない。ＰＬＣＭ＿３２機能は、加入者電子連続番号（ＥＳＮ）からロングコードマスクを切り離すために、ＩＳ−２０００改訂Ｃ及び３Ｇ−ＩＯＳｖ４．３（２００３年４月１１日両者現存）に導入された。これによって、ＢＳは、通話準備時、ロングコードマスクを指定し得るが、ＢＳによる３２ビットのＰＬＣＭ＿３２の数値を生成する際のガイドラインは存在しない。従って、異なるＢＳによって生成されるＰＬＣＭ＿３２の数値、特に、異なる販売業者のものを共用する可能性が、依然として存在する。このような共用は、ハードハンドオフがクロストーク問題を回避するために解決されなければならない。
【非特許文献１】ｃｄｍａ２０００スペクトル拡散システム・リリースＣのためのＴＩＡ／ＥＩＡ  ＩＳ−２０００．５−Ｃ上層（層３）信号規格、２００２年５月、セクション２．６．６．１．１，２．６．２．５．１，３．６．１．１，及び３．７．３．３．２．３６
【非特許文献２】ｃｄｍａ２０００アクセス・ネットワーク・インタフェイスのためのＴＩＡ／ＥＩＡ  ＩＳ−２０００．４−Ｃ（ＰＮ−４５４５−ＲＶ３）相互操作可能仕様書（ＩＯＳ）−パート４（Ａ１，Ａ２，及びＡ５インタフェイス）、２００２年１０月、図３，１９，１．１−１，セクション３．４．３及び３．４．４
【非特許文献３】ＷＡＮＧ，Ｊ．等によるＱｕａｌｃｏｍｍ，Ｉｎｃ．，２００１の「ＥＳＮからのＰＬＣＭの引き外し（Ｄｅｃｏｕｐｌｉｎｇ  ＰＬＣＭ  ｆｒｏｍ  ＥＳＮ）」
【非特許文献４】ＹＡＧＩ，Ｔ．等による「Ｎｅｗ  ＰＬＣＭ＿３２−Ｒｅｖ．２のためのハードハンドオフ（Ｈａｒｄ  Ｈａｎｄｏｆｆ）」，３ＧＰＰ２
【発明の開示】
【発明が解決しようとする課題】
【０００５】
従って、ハードハンドオフ時のＰＬＣＭ管理の改善が必要である。
【課題を解決するための手段】
【０００６】
ハンドオフ時における公開ロングコードマスク（ＰＬＣＭ）の管理改善のニーズに対応するために、本発明の実施形態によって、移動局（ＭＳ）は、送信先基地局（ＢＳ）と通信する際、サービス提供側ＢＳと通信する際に用いるものと異なるＰＬＣＭを用い得る。本実施形態は、移動交換局（ＭＳＣ）を介してサービス提供側ＢＳと送信先ＢＳ間の信号送信を行い、これによって、送信先ＢＳは、新しいＰＬＣＭを提供し、ＭＳと送信先ＢＳ間の通信を行ない得る。ハンドオフＭＳに対するＰＬＣＭの割り当てと伝達を各送信先ＢＳに行なわせることによって、今日のＰＬＣＭの共用、従ってクロストーク問題を回避し得る。
【０００７】
本発明は、公開ロングコードマスク（ＰＬＣＭ）のハンドオフ管理方法を含むが、ここで、基地局（ＢＳ）は、ハードハンドオフを示す移動局（ＭＳ）用のハンドオフ要求メッセージを受信する。ハンドオフ要求メッセージに応答して、ＢＳは、ＭＳが用いる新しいＰＬＣＭを割り当て、また、新しいＰＬＣＭを識別するＰＬＣＭ識別子を含むハンドオフ要求確認応答を送信する。
【０００８】
本発明の他の実施形態は、ＰＬＣＭハンドオフ管理方法を含むが、ここで、ＰＬＣＭを用いてサービス提供基地局（ＢＳ）と通信するＭＳは、新しい且つ異なるＰＬＣＭを識別するＰＬＣＭ識別子を含むハンドオフメッセージを受信する。この後、ＭＳは、新しいＰＬＣＭを用いて送信先ＢＳと通信する。
【０００９】
本発明の他の実施形態には、基地サイト制御装置（ＢＳＣ）及び通信接続される基地送受信装置（ＢＴＳ）を備えた基地局（ＢＳ）が含まれる。ＢＳＣは、ハードハンドオフを示すＭＳ用のハンドオフ要求メッセージを受信するように構成され、また、ハンドオフ要求メッセージに応答して、ＭＳが用いる新しいＰＬＣＭを割り当てるように構成され、更に、ハンドオフ要求メッセージに応答して、新しいＰＬＣＭを識別するＰＬＣＭ識別子を含むハンドオフ要求確認応答を送信するように構成されている。ＢＴＳは、新しいＰＬＣＭを用いて、ＭＳと通信するように構成されている。
【００１０】
また、本発明には、送信機と、受信機と、送信機及び受信機に通信接続するプロセッサとを含む移動局（ＭＳ）が含まれる。プロセッサは、公開ロングコードマスク（ＰＬＣＭ）を用いて、送信機及び受信機を介してサービス提供側ＢＳと通信するように構成されており、また、受信機を介して、新しい且つ異なるＰＬＣＭを識別するＰＬＣＭ識別子を含むハンドオフメッセージを受信するように構成されており、更に、送信機及び受信機を介して、新しいＰＬＣＭを用いて送信先ＢＳと通信するように構成されている。
【発明を実施するための最良の形態】
【００１１】
本発明は、図１乃至４を参照すると、より良く理解し得る。図１は、本発明の第１実施形態に基づく通信システム１００のブロック図である。通信システム１００は、公知の米国電気通信工業会／米国電子工業会暫定標準２０００−Ｃ（ＴＩＡ／ＥＩＡ＿ＩＳ−２０００−Ｃ又はＩＳ−２０００−Ｃ）及び３Ｇ相互運用性能仕様４．３版（３Ｇ−１０５ｖ４．３）に基づく、２００３年４月１１日現在（即ち、ＰＬＣＭ＿３２機能を含む）、本発明を実現するために後述するように改良されたシステムである。
【００１２】
システム１００は、固定ネットワーク機器及び移動通信装置を含む。固定ネットワーク機器すなわち通信インフラには、基地局（ＢＳ）１２０及び１３０並びに移動交換局（ＭＳＣ）１１５が含まれる。当分野では公知のように、各ＢＳには、（物理的でない場合少なくとも論理的に）ＢＳＣ（例えば、１２１及び１３１）と、１つ又は複数の基地送受信
装置（ＢＴＳ）（例えば、１２２，１２３，１３２及び１３３）と、が含まれる。これら各エンティティを実現し得る方法及び／又は“ＭＯＴＯＲＯＬＡ”等の無線通信企業から購入し得る方法は、当業者が認識されるように数多く存在する。例えば、通常、ＢＳ、ＢＳＣ、及びＢＴＳには、プロセッサ、メモリ、及び／又は論理回路等の構成要素が含まれ、この論理回路は、コンピュータの命令及び／又は回路で表現したアルゴリズムを実現するように構成される。アルゴリズム即ち論理フロー（論理フロー３００等）の場合、複数のエンティティ及び／又は複数の物理的構成要素に渡る実施例を含み、論理を実行するＢＳ／ＢＳＣ／ＢＴＳの実現に利用可能な設計開発手法は、当業者が認識されるように数多く存在する。
【００１３】
ＭＳ１０１には、ＩＳ−２０００−Ｃ無線インターフェイス１４１及び１４２を介して、それぞれＢＳ１２０及び１３０と通信するＣＤＭＡ対応の無線電話が含まれる。ＭＳ１０１には、プロセッサ１０４、送信機１０２、及び受信機１０３等、公知のエンティティが含まれる。ＭＳで用いられる送信機、受信機、及びプロセッサは、当分野では公知である。この共通のＭＳ構成要素の集合は、公知の電気通信設計開発手法を用いて、本発明の無線装置の特徴を実現するように構成されている。プロセッサには、通常、マイクロプロセッサ、デジタル信号プロセッサ、メモリ、及び／又は、論理回路等の構成要素が含まれ、この論理回路は、コンピュータの命令及び／又は回路で表現したアルゴリズムを実現するように構成される。アルゴリズム即ち論理フロー（論理フロー４００等）の場合、与えられた論理を実行するプロセッサの実現に利用可能な設計開発手法は、当業者が認識されるように数多く存在する。
【００１４】
説明を簡単にするために、図１は、２つのＢＳ、１つのＭＳＣ、及び１つのＭＳのみを示す。しかしながら、図１は、システム１００が動作するのに必要なネットワーク機器の全てを示さず、特に本明細書の実施形態の説明に関連するシステムブロック／論理エンティティのみを示すことを当業者は認識されたい。しかしながら、本発明の様々な実施形態に基づく通信システム１００は、ほぼ以下の通り動作する。
【００１５】
サービス提供側ＢＳ１２０は、ＭＳ１０１が関与する通話をサポートしている。無線インターフェイス１４１の順方向及び逆方向リンクを介して、また、受信機１０３及び送信機１０２を介して、プロセッサ１０４は、公開ロングコードマスク（ＰＬＣＭ）を用いてＢＳ１２０と通信する。具体的には、ＭＳ１０１及びＢＳ１２０は、ＰＬＣＭを用いてコード化される通話内容を互いの間で送受信し合う。異なるタイプの通話内容の例としては、声音、音声、映像、テキストメッセージ、及びデータが挙げられる。ＭＳ１０１が移動及び／又はそのＲＦ信号送信環境が変化するにつれて、ＢＳ１２０は、ハードハンドオフがＭＳ１０１に望ましいことを判断する。
【００１６】
第１の実施形態において、ＢＳＣ１２１は、（ＩＯＳｖ４．３のハンドオフ被要求メッセージに基づく）ハンドオフ被要求メッセージ２０１をＭＳ１０１用のＭＳＣ１１５に送信する（ここで補足的に図２を参照）。ハンドオフ被要求メッセージ２０１には、ＭＳ１０１及びＢＳ１２０が現在使用中のＰＬＣＭを識別するＰＬＣＭ識別子が含まれる。ＢＳＣ１３１は、ＭＳ１０１用の（ＩＯＳｖ４．３のハンドオフ要求メッセージに基づく）ハンドオフ要求メッセージ２０３をＭＳＣ１１５から受信する。また、ハンドオフ要求メッセージ２０３には、ＭＳ１０１及びＢＳ１２０が現在使用中のＰＬＣＭを識別するＰＬＣＭ識別子も含まれる。ハンドオフ要求メッセージ２０３は、ＰＬＣＭを含み、また、ＭＳＣ１１５から受信されるため、ＢＳＣ１３１は、ハードハンドオフが要求されていることを認識する。
【００１７】
ＰＬＣＭと共にハンドオフ要求メッセージ２０３をＭＳＣ１１５から受信し、また、それによってハードハンドオフが要求されていることを認識すると、ＢＳＣ１３１は、ＭＳ
が用いる新しいＰＬＣＭを割り当てる。各ＢＳ（例えば、ＢＳ１２０及び１３０）が、割り当てられるべきＰＬＣＭの異なる(即ち、重複しない)部分集合を有する場合、新しいＰＬＣＭは、割り当てられていないＰＬＣＭ、また従って、ＭＳに固有なＰＬＣＭから選択される。従って、ハンドオフ被要求メッセージ及び／又はハンドオフ要求メッセージが、ＭＳ及びサービス提供側ＢＳによって用いられるＰＬＣＭを含まない他の実施形態が可能である。これらの実施形態において、新しいＰＬＣＭの割り当ては、一意性にとっては充分である。ＰＬＣＭの異なる部分集合が、販売業者間のように、１つのＢＳから次のＢＳ間で保証できない場合、送信先ＢＳは、ＭＳ及びサービス提供側ＢＳで用いられるＰＬＣＭを有し、また、割り当てられたＰＬＣＭが異なることを保証し得る。
【００１８】
ハンドオフ要求メッセージに応答して、また、新しいＰＬＣＭを割り当てた後、ＢＳＣ１３０は、新しいＰＬＣＭを識別するＰＬＣＭ識別子を含むハンドオフ要求確認応答をＭＳＣ１１５に送信する。第１実施形態において、ハンドオフ要求確認応答２０５には、新しいＰＬＣＭを伝達する付加フィールドを有するＩＯＳｖ４．３ハンドオフ要求確認応答メッセージが含まれる。
【００１９】
ハンドオフ被要求メッセージ２０１に応答して、ＢＳＣ１２１は、ＭＳ１０１用の新しいＰＬＣＭを識別するＰＬＣＭ識別子が含まれるハンドオフ命令メッセージ２０７を受信する。第１実施形態において、ハンドオフ命令メッセージ２０７には、新しいＰＬＣＭを伝達する付加フィールドを有するＩＯＳｖ４．３ハンドオフ命令メッセージが含まれる。ハンドオフ命令メッセージ２０７に応答して、ＢＳＣ１２１は、サービス提供側ＢＴＳ（例えば、ＢＴＳ１２３）を介して、ハンドオフメッセージ２０９をＭＳ１０１に送信する。第１実施形態において、ハンドオフメッセージ２０９には、ハンドオフ方向メッセージ、具体的には、新しいＰＬＣＭを伝達する付加フィールドを有するＩＳ−２０００−Ｃユニバーサルハンドオフ方向メッセージ（ＵＨＤＭ）が含まれる。例えば、“ＰＬＣＭ＿ＩＮＣＬ”及び“ＰＬＣＭ＿３２”フィールドが付加されて、次のように用いられる。
【００２０】
ＰＬＣＭ＿ＩＮＣＬ：インジケータが含まれる公開ロングコードマスク。基地局がメッセージ中にＰＬＣＭ＿３２を含み、また、ＵＳＥ＿ＥＳＮ＿ＢＡＳＥＤ＿ＰＬＣＭが０に設定されている場合、基地局は、このフィールドを‘１’に設定するものとする。基地局がメッセージ中にＰＬＣＭ＿３２を省略し、また、ＵＳＥ＿ＥＳＮ＿ＢＡＳＥＤ＿ＰＬＣＭが０に設定されている場合、基地局は、このフィールドを‘０’に設定するか、もしくは、基地局はこのフィールドを省略するものとする。
【００２１】
ＰＬＣＭ＿３２：公開ロングコードマスクの３２ＬＳＢビット。ＰＬＣＭ＿ＩＮＣＬが含まれ、また、‘１’に設定されている場合、基地局は、このフィールドを含み、また、移動局が用いる公開ロングコードマスクの３２最下位ビットにそれを設定するか、もしくは、基地局はこのフィールドを省略するものとする。
【００２２】
受信機１０３を介してハンドオフメッセージ２０９を受信すると、ＭＳ１０１は、図２に示すようにそのハンドオフメッセージ送信を継続して、ＢＳ１３０へのそのハードハンドオフを完了する。無線インターフェイス１４２の順方向及び逆方向リンクを介して、また、受信機１０３及び送信機１０２を介して、プロセッサ１０４は、ＢＳ１３０が割り当てた新しいＰＬＣＭを用いて、ＢＳ１３０（例えば、新しいサービス提供側ＢＴＳ１３２）と通信する。具体的には、ＭＳ１０１及びＢＳ１３０は、新しいＰＬＣＭを用いてコード化される通話内容を互いの間で送受信し合う。
【００２３】
図３は、本発明の第１実施形態に基づく基地局の動作を示す論理フロー図である。論理フロー３００は、ハンドオフしている特定のＭＳとの関係に依存して、２つの論理経路の１つに従うＢＳで開始する（３０１）。ＢＳが、ハンドオフの送信元（又はサービス提供
側）ＢＳである場合（３０３）、論理フロー３００においてＭＳの現在の通話を既にサポートしている。具体的には、ＢＳは、通話内容をＭＳとの間で送受信するが（３０５）、ＢＳは、送信元ＰＬＣＭを用いて、通話内容のコード化及び復号化を行なう。ＭＳに対してハンドオフ条件が存在する場合、ＢＳは、ハンドオフ被要求メッセージをＭＳ用のＭＳＣに送信する（３０７）。このメッセージは、送信元ＰＬＣＭを含む。
【００２４】
ハンドオフ被要求メッセージに応答して、ＢＳは、ＭＳＣからハンドオフ命令メッセージを受信する（３０９）。このハンドオフ命令は、ＭＳのハンドオフ送信先ＢＳからの送信先ＰＬＣＭを含む。次に、ＢＳが、送信先ＰＬＣＭをＭＳに送信すると（３１１）、ＭＳ及び送信先ＢＳは、送信先ＰＬＣＭを用いて通信を行なうことができる。送信先ＰＬＣＭは、修正ユニバーサルハンドオフ方向メッセージでＭＳに送信され、送信元ＢＳの論理フローが終了する（３２１）。
【００２５】
ＢＳは、ハンドオフ用の送信先ＢＳである場合（３０３）、ＭＳ用のそのＭＳＣからハンドオフ要求メッセージを受信する（３１３）。ハードハンドオフが、ＭＳに対して要求されていることを認識すると、ＢＳは、ＢＳとＭＳとの間の通信用ＰＬＣＭを割り当てる（３１５）。ＢＳは、新たに割り当てられたＰＬＣＭを修正ハンドオフ要求確認応答メッセージでＭＳＣに送信する（サービス提供側ＢＳを介してＭＳに出力する）（３１７）。送信元ＢＳからのハードハンドオフが進行すると、ＭＳ及びＢＳは、新たに割り当てられたＰＬＣＭを用いて、通信を開始する。具体的には、ＢＳは、通話内容をＭＳとの間で送受信し始め（３１９）、ＢＳは、新たに割り当てられたＰＬＣＭを用いて、通話内容のコード化及び復号化を行なう。このようにして、送信先ＢＳの論理フロー３００が終了する（３２１）。
【００２６】
図４は、本発明の第１実施形態に基づく移動局の動作を示す論理フロー図である。論理フロー４００は、サービス提供側ＢＳがサポートする通話に関与するＭＳで始まる（４０１）。具体的には、ＭＳは、サービス提供側ＢＳとの間で通話内容を送受信し、ＭＳは、特定のＰＬＣＭを用いて、通話内容のコード化及び復号化を行なう（４０３）。通話中の或る時点で、他のＢＳへのハードハンドオフが望ましくなると、ＭＳは、サービス提供側ＢＳから修正ユニバーサルハンドオフ方向メッセージを受信し（４０５）、ＭＳに対して、送信先ＢＳにハンドオフするように指示し（４０７）、また、新しいＰＬＣＭを用いて、送信先ＢＳとの通信情報をコード化及び復号化するように指示する。このように、ＭＳは、新しいＰＬＣＭを用いて通話内容を送信先ＢＳとの間で送受信し始めて（４０９）、論理フロー４００が終了する（４１１）。
【００２７】
上記明細において、本発明について、具体的な実施形態を参照して説明した。しかしながら、当業者は認識されるように、添付の請求項に述べる本発明の精神と範囲から逸脱することなく、様々な修正及び変更を成し得る。従って、明細書及び図面は、限定的というよりもむしろ例示的であると見なすべきであり、また、このような修正は、本発明の範囲内に全て含まれるものとする。更に、当業者は認識されるように、図面の要素は、説明を分かり易く又簡潔にするために示されており、必ずしも縮尺通りに描かれていない。例えば、本発明の様々な実施形態の理解を促す一助となるように、図面中の要素の寸法には、他の要素に対して誇張されているものがある。
【００２８】
恩恵、他の利点、及び問題の解決策は、本発明の具体的な実施形態に関して上述した。しかしながら、恩恵、利点、問題の解決策、及びこのような恩恵、利点、若しくは解決策を生じ得る又は結果的に生じ得る、或いは、このような恩恵、利点、若しくは解決策をより顕著にし得る如何なる（１つ又は複数の）要素も、何れか又は全ての請求項の決定的な、必要な、若しくは不可欠な特徴又は要素として解釈してはならない。本明細書及び添付請求項に用いた用語“含む”、“含んでいる”又はその用語の他の変形例は、非排他的な
包括を意味するものであり、列記した要素を含むプロセス、方法、製造物、又は装置は、列記したこれらの要素だけでなく、明確に列記されていない他の要素や、このようなプロセス、方法、製造物、又は装置に固有の他の要素も含み得る。
【００２９】
本明細書中に用いた不定冠詞は、１つ又は１つ以上と定義する。本明細書中に用いた用語“複数”は、２つ又は２つ以上と定義する。本明細書中に用いた用語“他の”は、少なくとも２つ目の又はそれ以上と定義する。本明細書中に用いた用語“含む”及び／又は“有する”は、備えている（即ち、オープンランゲージ）と定義する。本明細書中に用いた用語“接続される”は、必ずしも直接的にではなく、また、必ずしも機械的にではなく、接続されると定義する。本明細書中に用いた用語“プログラム”は、コンピュータシステム上で実行するように構成された一連の命令と定義する。プログラム即ちコンピュータプログラムは、サブルーチン、機能、手順、オブジェクトの方法、オブジェクトの実現、実行可能なアプリケーション、アプレット、サーブレット、ソースコード、オブジェクトコード、共用ライブラリ／ダイナミックロードライブラリ、及び／又はコンピュータシステム上で実行するように構成された他の一連の命令を含み得る。
【図面の簡単な説明】
【００３０】
【図１】本発明の第１実施形態に基づく通信システムを示すブロック図。
【図２】本発明の第１実施形態に基づく信号送信フロー図。
【図３】本発明の第１実施形態に基づく基地局の動作を示す論理フロー図。
【図４】本発明の第１実施形態に基づく移動局の動作を示す論理フロー図。
【符号の説明】
【００３１】
１０１・・・移動局（ＭＳ）、１０２・・・送信機、１０３・・・受信機、１０４・・・プロセッサ、１１５・・・移動交換局（ＭＳＣ）、１２０、１３０・・・基地局（ＢＳ）、１２１、１３１・・・基地サイト制御装置（ＢＳＣ）、１２２、１２３、１３２、１３３・・・基地送受信装置（ＢＴＳ）、１４１、１４２・・・無線インターフェイス。
【図１】
2004320764.tif 000003
【図２】
2004320764.tif 000004
【図３】
2004320764.tif 000005
【図４】
2004320764.tif 000006